(57)【要約】【課題】光源と保持部材を精度良く組み立てることのできる光源装置の提供。【解決手段】光源は、レーザ発光素子２ａと、前記レーザ発光素子を支持する支持部２ｂと、前記レーザ発光素子から出射されるレーザ光の透過窓２ｃ３を備え、前記支持部に前記レーザ発光素子を覆うように設けられたキャップ２ｃと、を有する。保持部材１は、前記支持部の外周面と接触して前記支持部を保持する第1の保持穴１ｃ１と、前記第1の保持穴により前記支持部を保持する保持力よりも強い力で前記支持部の外周面と接触して前記支持部を保持する第２の保持穴１ｃ２と、を有する。【選択図】図１
2008070695.tif 000002
【特許請求の範囲】
【請求項１】
レーザ光を出射する光源と、前記光源を保持する保持部材とを有し、前記光源は、レーザ発光素子と、前記レーザ発光素子を支持する支持部と、前記レーザ発光素子から出射されるレーザ光の透過窓を備え、前記支持部に前記レーザ発光素子を覆うように設けられたキャップと、を有する光源装置において、
前記保持部材は、前記支持部の外周面と接触して前記支持部を保持する第1の保持穴と、前記第1の保持穴が前記支持部を保持する保持力よりも強い力で前記支持部の外周面と接触して前記支持部を保持する第２の保持穴と、を有し、前記第２の保持穴は前記光源が前記保持部材に圧入される方向において前記第１の保持穴より奥側に設けられていることを特徴とする光源装置。
【請求項２】
前記第１の保持穴は、前記支持部の外周面と複数箇所で接触していることを特徴とする請求項１に記載の光源装置。
【請求項３】
レーザ光を出射する光源と、前記光源を保持する保持部材とを有し、前記光源は、レーザ発光素子と、前記レーザ発光素子を支持する支持部と、前記レーザ発光素子から出射されるレーザ光の透過窓を備え、前記支持部に前記レーザ発光素子を覆うように設けられたキャップと、を有する光源装置において、
前記保持部材は、前記支持部の外周面と接触して前記支持部を保持する保持穴と、前記保持穴が前記支持部を保持する保持力よりも弱い力で前記支持部の外周面と接触して前記支持部を保持する複数の突起部と、を有し、前記保持穴は前記光源が前記保持部材に圧入される方向において前記突起部より奥側に設けられていることを特徴とする光源装置。
【請求項４】
レーザ光を出射する光源は、レーザ発光素子と、前記レーザ発光素子を支持する支持部と、前記レーザ発光素子から出射されるレーザ光の透過窓を備え、前記支持部に前記レーザ発光素子を覆うように設けられたキャップと、を有し、前記光源を保持する保持部材は、前記支持部の外周面と接触して前記支持部を保持する第１の保持穴と、前記第１の保持穴が前記支持部を保持する保持力よりも強い力で前記支持部の外周面と接触して前記支持部を保持する第２の保持穴と、を有する光源装置の組立方法であって、
前記光源の支持部を前記キャップ側から前記保持部材の第１の保持穴に圧入する工程と、
前記光源の支持部を前記保持部材の第１の保持穴に圧入した状態で前記保持部材に対する前記光源の保持姿勢を測定する工程と、
前記光源の保持姿勢の測定値が組立規定値を満たしていない場合には前記保持部材の第１の保持穴から前記光源の支持部を抜き取り、前記光源の保持姿勢の測定値が組立規定値を満たしている場合には前記光源の支持部を前記保持部材の第２の保持穴に圧入する工程と、
を有することを特徴とする光源装置の組立方法。
【請求項５】
レーザ光を出射する光源は、レーザ発光素子と、前記レーザ発光素子を支持する支持部と、前記レーザ発光素子から出射されるレーザ光の透過窓を備え、前記支持部に前記レーザ発光素子を覆うように設けられたキャップと、を有し、前記光源を保持する保持部材は、前記支持部の外周面と接触して前記支持部を保持する保持穴と、前記保持穴が前記支持部を保持する保持力よりも弱い力で前記支持部の外周面と接触して前記支持部を保持する複数の突起部と、を有する光源装置の組立方法であって、
前記光源の支持部を前記キャップ側から前記保持部材の複数の突起部に圧入する工程と、
前記光源の支持部を前記保持部材の複数の突起部に圧入した状態で前記保持部材に対する前記光源の保持姿勢を測定する工程と、
前記光源の保持姿勢の測定値が組立規定値を満たしていない場合には前記保持部材の複数の突起部から前記光源の支持部を抜き取り、前記光源の保持姿勢の測定値が組立規定値を満たしている場合には前記光源の支持部を前記保持部材の保持穴に圧入する工程と、
を有することを特徴とする光源装置の組立方法。
【発明の詳細な説明】
【技術分野】
【０００１】
本発明は、電子写真複写機、電子写真プリンタ等の画像形成装置に搭載される光学走査装置の光源ユニットとして用いれば好適な光源装置、及びその光源装置の組立方法に関する。
【背景技術】
【０００２】
特許文献１には、電子写真方式の複写機やプリンタ等の画像形成装置に搭載される光学走査装置に用いる光源装置が記載してある。
【０００３】
図９は、特許文献１に記載してある光源装置の構成模型図である。
【０００４】
光源装置は、光源としての半導体レーザ５０１と、その半導体レーザ５０１を保持する保持部材としてのレーザホルダ５０３と、を有する。Ｈは光学走査装置の光学箱であり、この光学箱Ｈには光源装置のレーザホルダ５０３が取り付けられる。半導体レーザ５０１は、レーザ発光素子（不図示）を支持する円形の支持部５０１ａと、その支持部５０１ａにレーザ発光素子を覆うように設けられたキャップ５０１ｂと、を有する。そして、その半導体レーザ５０１は、支持部５０１ａをレーザホルダ５０３に設けられた円形の保持穴５０３ａに直接圧入することによって該レーザホルダ５０３に固定保持されている。
【０００５】
上記光学装置において、半導体レーザ５０１はレーザ発光素子から発散したレーザ光束を射出し、そのレーザ光束はレーザホルダ５０３に設けられた鏡筒５０４に固定されているコリメータレンズ５０２によって平行光束に変換される。そして、レーザホルダ５０３に対し鏡筒５０４を位置調整することによって半導体レーザ５０１とコリメータレンズ５０２のピント及び光軸調整がなされる。その調整がなされた後、鏡筒５０４は接着剤５０５でレーザホルダ５０３に固定される。
【０００６】
上記光源装置においては、半導体レーザをレーザホルダに固定保持させる際、所定の治工具で半導体レーザの角度を管理し、その治工具によって半導体レーザを所定の組立規定角度でレーザホルダに組み付けている。
【特許文献１】特開平８−１１２９４０号公報
【発明の開示】
【発明が解決しようとする課題】
【０００７】
上記光源装置において、半導体レーザのレーザ発光素子として特に１つの素子に２つの発光点を持つマルチビームレーザ素子を用いた場合、その２つの発光点によって２行同時に画像の書き込みを行なうことができる。その場合には、半導体レーザから出射されるレーザ光束を像担持体としてのドラム型の電子写真感光体（以下、感光体ドラムと記す）の外周面（表面）を副走査方向（感光体ドラムの周方向）に走査する場合の間隔精度が重要となる。つまり、感光体ドラム表面の周方向において画像書き込みの列方向、つまり２行同時に書き込みした場合の行ピッチ方向の間隔精度が重要となる。したがって、レーザホルダに半導体レーザを圧入固定した際の姿勢つまり半導体レーザの光軸周りの角度も非常に高精度のものが要求される。
【０００８】
本発明は上記従来技術を更に発展させたものである。そこで本発明の目的は、光源と保持部材を精度良く組み立てることのできる光源装置、及びその光源装置の組立方法を提供することにある。
【課題を解決するための手段】
【０００９】
本発明に係る光源装置の代表的な構成は、レーザ光を出射する光源と、前記光源を保持する保持部材とを有し、前記光源は、レーザ発光素子と、前記レーザ発光素子を支持する支持部と、前記レーザ発光素子から出射されるレーザ光の透過窓を備え、前記支持部に前記レーザ発光素子を覆うように設けられたキャップと、を有する光源装置において、
前記保持部材は、前記支持部の外周面と接触して前記支持部を保持する第1の保持穴と、前記第1の保持穴が前記支持部を保持する保持力よりも強い力で前記支持部の外周面と接触して前記支持部を保持する第２の保持穴と、を有し、前記第２の保持穴は前記光源が前記保持部材に圧入される方向において前記第１の保持穴より奥側に設けられていることを特徴とする光源装置である。
【発明の効果】
【００１０】
本発明によれば、光源と保持部材を精度良く組み立てることができる。
【発明を実施するための最良の形態】
【００１１】
以下、本発明を図面に基づいて説明する。
【実施例１】
【００１２】
（１）光学走査装置
図８は本発明に係る光源装置を光源ユニットとして備える光学走査装置の一例の構成模型図である。
【００１３】
Ｈは光学走査装置の光学箱である。この光学箱Ｈには、光源ユニットＥ、シリンドリカルレンズＣ、ポリゴンミラーＲ、走査レンズＦ、折り返しミラーＭ等の光学部品が取り付けてある。
【００１４】
光学走査装置において、光源ユニットＥから画像情報に応じたレーザ光束（以下、レーザ光と記す）Ｌが出射される。そのレーザ光ＬはシリンドリカルレンズＣを通過することでポリゴンミラーＲの反射面上に結像する。そしてそのレーザ光Ｌは、ポリゴンミラーＲが回転することによって偏向され、走査レンズＦ、折り返しミラーＭを介して不図示の被走査面（典型的には回転動作中の感光体ドラム表面）上に結像、走査される。これによって被走査面の画像情報に応じた静電潜像が形成される。
【００１５】
（２）光源ユニット
図１は本発明に係る光源装置としての光源ユニットの一例を表す説明図である。図１において、（ａ）は光源ユニットの一例を表す構成模型図、（ｂ）は半導体レーザの構成模型図、（ｃ）は光源ユニットの半導体レーザ及びレーザホルダの組立部分の寸法を表す説明図である。
【００１６】
本実施例に示す光源ユニットＥは、保持部材としてのレーザホルダ１と、光源としての半導体レーザ２と、コリメータレンズ３と、を有する。
【００１７】
レーザ２は、レーザ発光素子としての面発光型の半導体レーザチップ２ａと、そのレーザチップ２ａを支持する支持部としてのステム２ｂと、そのステム２ｂにレーザチップ２ａを覆うように設けられたキャップ２ｃと、を有する。円板状に形成されたステム２ｂの中心にはレーザチップ２ａが取り付けてある。キャップ２ｃは、円筒部２ｃ１と、その円筒部２ｃ１上端に設けられた上壁２ｃ２と、を有する。上壁２ｃ２には、レーザチップ２ａから出射されるレーザ光Ｌを一部透過する透過窓２ｃ３が形成してある。また、レーザ２は、キャップ２ｃの内部にフォトダイオード２ｄを有する。そのフォトダイオード２ｄは、レーザチップ２ａから出射されるレーザ光Ｌを受光して該レーザ光Ｌの受光量に応じた電流値に変換する。その電流値は図示しない画像形成装置の制御部に入力され、該制御部はその電流値に基づいてレーザチップ２ａの発光状態をモニタする制御を行なう。
【００１８】
ホルダ１は、鏡筒１ａと、その鏡筒１ａの後端側に設けられたフランジ部１ｂと、を有する。鏡筒１ａには第1の保持穴としての１次圧入穴１ｃ１が形成してある。この１次圧入穴１ｃ１はフランジ部１ｂに設けられた第２の保持穴としての２次圧入穴１ｃ２と同軸上で連通している。つまり１次圧入穴１ｃ１及び２次圧入穴１ｃ２の中心線ｃは同一軸線上にある。この１次圧入穴１ｃ１及び２次圧入穴１ｃ２は、それぞれ円形状に形成されている。
【００１９】
コリメータレンズ３は、ホルダ１にレーザ２を組み付けた後にホルダ１の鏡筒１ａの先端側に取り付けられる。このコリメータレンズ３は、ホルダ１に組み付けられたレーザ２から出射する発散したレーザ光Ｌを平行光束に変換するためのものである。
【００２０】
２−１）半導体レーザ及びレーザホルダの組立部分の寸法関係
上記レーザ２において、キャップ２ｃの外径ｄ１はステム２ｂの外周面（表面）の外径ｄ２よりも小さい（ｄ１＜ｄ２）。上記ホルダ１において、２次圧入穴１ｃ２の内周面（内面）の内径ｄ３は１次圧入穴１ｃ１の内周面（内面）の内径ｄ４よりも小さい（ｄ３＜ｄ４）。そして２次圧入穴１ｃ２の内径ｄ３は、キャップ２ｃの外径ｄ１より大きく、ステム２ｂの外周面(表面)の外径ｄ２よりも小さくなるように設定してある（ｄ１＜ｄ３＜ｄ２）。一方、１次圧入穴１ｃ１の内周面（内面）の内径ｄ４も、キャップ２ｃの外径ｄ１より大きく、ステム２ｂの外周面(表面)の外径ｄ２よりも僅かに小さくなるように設定してある（ｄ１＜ｄ４＜ｄ２）。
【００２１】
２−２）半導体レーザとレーザホルダとの組立方法
図２はレーザとホルダの組立方法の一例を表す説明図である。
【００２２】
先ず、上記レーザチップ２ａ、ステム２ｂ及びキャップ２ｃを有するレーザ２を準備する。そのレーザ２のステム２ｂ表面は冶工具のクランプ１０ａ，１０ｂにより把持される（図２（ａ））。
【００２３】
次に、上記１次圧入穴１ｃ１及び２次圧入穴１ｃ２を有するホルダ１を準備する。そのホルダ１はレーザ２と対向する位置で図示しない保持工具により固定保持される（図２（ａ））。
【００２４】
次に、レーザ２をホルダ１と接触させない状態で、ホルダ１に対しレーザ２を組み立てる前のレーザ２の姿勢を測定する。すなわち、図示しない観察工具等を用いてレーザ２の光軸（レーザ光Ｌの光軸）Ｌｃ周りの角度を観察する。つまりレーザ２の光軸Ｌｃが１次圧入穴１ｃ１及び２次圧入穴１ｃ２の中心線ｃに対して傾いているか否を観察する。そしてその光軸Ｌｃ周りの観察角度が所定の組立規定角度を満たしていない場合には、その組立規定角度を満たすように観察工具等によってレーザ２を回転調整する。つまり、レーザ２の光軸Ｌｃが圧入穴１ｃ１，１ｃ２の中心線ｃと略一致するようにホルダ１に対するレーザ２の傾きを調整する。
【００２５】
レーザ２を回転調整した後、レーザ２をクランプ１０ａ，１０ｂによりホルダ１に近接させて停止する。そして、そのレーザ２を圧入工具１１によりホルダ１側に移動させ、レーザ２のキャップ２ｃ側からステム２ｂをホルダ１の１次圧入穴１ｃ１に圧入した後に圧入工具１１の移動を停止する。これによりステム２ｂは１次圧入穴１ｃ１に緩く保持される。（図２(ｂ)）
次に、ステム２ｂを１次圧入穴１ｃ１に保持した状態で、再度レーザ２の姿勢を測定するため、観察工具等を用いてレーザ２の光軸Ｌｃ周りの角度を観察する。
【００２６】
その光軸Ｌｃ周りの観察角度が所定の組立規定角度（組立許容角度）を満たしていない場合には、ホルダ１の鏡筒１ａの先端側から押出し工具等を用いステム２ｂを１次圧入穴１ｃ１から抜き取る。
【００２７】
そして、その光軸Ｌｃ周りの観察角度が組立規定角度を満たしている場合には、圧入工具１１を移動させ、レーザ２のステム２ｂをホルダ１の２次圧入穴１ｃ２に圧入した後に該圧入工具１１の移動を停止する。圧入工具１１は移動を停止した後にホルダ１の１次圧入穴１ｃ１側に移動して移動前の待機位置に戻る。
【００２８】
上記のようにステム２ｂが２次圧入穴１ｃ２に圧入されることによってホルダ１とレーザ２の組み立てが完了する。（図２(ｃ)）
本実施例によれば、ホルダ１の１次圧入穴１ｃ１は、レーザ２のステム２ｂの外周面と接触してステム２ｂを緩く保持する。また２次圧入穴１ｃ２も同様に、レーザ２のステム２ｂ表面の外周面と接触してステム２ｂを強く保持する。そして、２次圧入穴１ｃ２の内径ｄ３とステム２ｂの外周面(表面)の外径ｄ２の関係はｄ３＜ｄ２である。また１次圧入穴１ｃ１の内径ｄ４とステム２ｂ表面の外径ｄ２の関係はｄ４＜ｄ２である。ここで、２次圧入穴１ｃ２の内径ｄ３と１次圧入穴１ｃ１の内径ｄ４の関係はｄ３＜ｄ４であることから、２次圧入穴１ｃ２がステム２ｂを保持する保持力は、１次圧入穴１ｃ１がステム２ｂを保持する保持力よりも強い。つまり、２次圧入穴１ｃ２は、１次圧入穴１ｃ１がステム２ｂを保持する保持力よりも強い力でステム２ｂ表面と接触してステム２ｂを保持する。したがって、レーザ２のステム２ｂがホルダ１の２次圧入穴１ｃ２に圧入され保持されることにより、レーザ２は最終的にホルダ１に保持固定されることとなる。よって、ホルダ１とレーザ２の組み立て後の状態も安定する。
【００２９】
このように、ホルダ１はレーザ２の圧入方向奥側に、レーザ２が最終的に保持される２次圧入穴１ｃ２を有し、それよりも圧入方向手前側に２次圧入穴１ｃ２より保持力の弱い１次圧入穴１ｃ１を有するため、２次圧入穴１ｃ２にステム２ｂを圧入する前にレーザ２の姿勢を確認することができる。つまり、レーザ２のステム２ｂを１次圧入穴１ｃ１に圧入し保持させた状態で、ホルダ１に対する最終的なレーザ２の光軸周りの姿勢を判定できる。そして、その判定結果に基づきホルダ１に対しレーザ２を回転調整できるので、ホルダ１とレーザ２を精度良く組み立てることができる。
【００３０】
また、1次圧入穴１ｃ１の保持力によってもレーザ２の光軸Ｌｃ周りの回転は十分に規制されるので、レーザ２の光軸Ｌｃ周りの回転角度は1次圧入穴１ｃ１により保持された時点で決まり、2次圧入穴１ｃ２に圧入されるまで変化することはない。つまり、レーザ２が1次圧入穴１ｃ１に圧入し保持されている時点で、最終的なレーザ２の光軸周りの回転角度を判定することができる。
【００３１】
また、ホルダ１の１次圧入穴１ｃ１に保持された状態からレーザ２のステム２ｂを抜き取る場合、一度ステム２ｂの圧入が行なわれた１次圧入穴１ｃ１の保持力は低下してしまう恐れはあるけれども、最終的にレーザ２を保持する２次圧入穴１ｃ２の保持力への影響は無い。つまり、ホルダ１の２次圧入穴１ｃ２にレーザ２のステム２ｂを圧入していないため、２次圧入穴１ｃ２の保持力に影響を与えるような塑性変形は生じない。よって、ホルダ１の１次圧入穴１ｃ１からレーザ２のステム２ｂを抜き取った場合でも、ホルダ１の機能上の問題は無く、ホルダ１の再利用が可能となる。
【実施例２】
【００３２】
本発明に係る光源装置としての光源ユニットの他の例を説明する。
【００３３】
本実施例においては、実施例１の光源ユニットＥと共通する部材、部分に同一の符号を付して再度の説明を省略する。実施例３についても同様とする。
【００３４】
実施例１では、１次圧入穴１ｃ１及び２次圧入穴１ｃ２に前述のような内径差をつけることによって、２次圧入穴１ｃ２の保持力を１次圧入穴１ｃ１の保持力よりも強くする構成とした。本実施例では、ステム２ｂ表面に対する、1次圧入穴の接触面積と２次圧入穴１ｃ２の接触面積とに差をつけることによって、実施例１と同じ効果を得ている。その一例を図３に示す。
【００３５】
図３は本実施例に係る光源ユニットＥの説明図であって、（ａ）は２次圧入穴１ｃ２にレーザ２のステム２ｂを圧入した状態を表す斜視図、（ｂ）は１次圧入穴と２次圧入穴１ｃ２の関係を表す正面図である。尚、説明の明瞭化のため、図３（ｂ）は半導体レーザが圧入されていない状態を表している。
【００３６】
本実施例に示す光源ユニットＥは、１次圧入穴の内面にステム２ｂ表面と接触する３つの突起部１ｄを設け、その３つの突起部１ｄによってステム２ｂを保持する構成とした。つまり、１次圧入穴はステム２ｂ表面と複数箇所で接触している。その３つの突起部１ｄは互いに等しい間隔をおいて配設してある。
【００３７】
本実施例の光源ユニットEは、ステム２ｂ表面に接触する３つの突起部１ｄによりステム２ｂを保持するため、その３つの突起部１ｄの接触面積はステム２ｂ表面の全周と接触する２次圧入穴１ｃ２の接触面積よりも少ない。これにより、１次圧入穴の突起部１ｄがステム２ｂを保持する保持力を２次圧入穴１ｃ２がステム２ｂを保持する保持力よりも弱くすることができる。つまり、２次圧入穴１ｃ２は１次圧入穴の突起部１ｄがステム２ｂを保持する保持力よりも強い力でステム２ｂ表面と接触してステム２ｂを保持することができる。したがって、本実施例においても実施例１の光源ユニットEと同じ作用効果を得ることができる。
【００３８】
ここで、実施例１では１次圧入穴の保持力を２次圧入穴の保持力より小さくするため、１次圧入穴の内径を２次圧入穴の内径より大きくしていたが、本実施例のようにステムとの接触面積の差により保持力に差をつける構成とすれば、必ずしも内径差をつける必要はない。つまり、1次圧入穴の３つの突起部1ｄに内接する内接円１ｃ３の径が、２次圧入穴１ｃ２の内径と同じであっても、レーザ２のステム２ｂ表面との接触面積が小さいので、保持力は小さくなる。
【００３９】
また、本実施例では、１次圧入穴においてステム２ｂ表面と接触する突起部１ｄの接触面の形状を円弧形状としているが、突起部１ｄの接触面の形状は円弧形状に限るものでなく平面形状でも良い。要は１次圧入穴の内面がステム２ｂ表面と複数箇所で接触すれば良い。
【００４０】
図４に本実施例の光源ユニットＥの変形例を示す。図４は１次圧入穴１ｃ４と２次圧入穴１ｃ２の関係を表す正面図である。尚、説明の明瞭化のため、図４は半導体レーザが圧入されていない状態を表している。
【００４１】
変形例に示す光源ユニットＥは、１次圧入穴１ｃ４を正多角形(例えば正８角形）の穴に形成し、その正多角形のそれぞれの平面を１次圧入穴１ｃ４の周方向においてステム２ｂ表面と点接触させている。つまり、１次圧入穴１ｃ４はステム２ｂ表面と複数箇所で接触している。これにより、実施例１の光源ユニットＥと同じ作用効果を得ることができる。
【００４２】
また、他の変形例として、２次圧入穴を１次圧入穴１ｃ４と同じ正多角形(例えば正８角形）の穴に形成し、その１次圧入穴１ｃ４と２次圧入穴に前述のような内径差をつけるように構成しても良い。これにより、２次圧入穴の保持力を１次圧入穴１ｃ４の保持力よりも弱くでき、実施例１の光源ユニットＥと同じ作用効果を得ることができる。
【実施例３】
【００４３】
本発明に係る光源装置としての光源ユニットの他の例を説明する。
【００４４】
図５は本実施例の光源ユニットＥの一例を示す説明図であって、（ａ）は３つの突起部１ｅによってレーザ２のステム２ｂを保持した状態を表す斜視図、（ｂ）は２次圧入穴１ｃ２と３つの突起部１ｅの関係を表す正面図である。尚、説明の明瞭化のため、図５（ｂ）は半導体レーザが圧入されていない状態を表している。
【００４５】
本実施例に示す光源ユニットＥは、ホルダ１において１次圧入穴１ｃ１に代えて３つの突起部１ｅを設け、その３つの突起部１ｅによってステム２ｂ表面と接触してステム２ｂを保持するように構成してある。
【００４６】
３つの突起部１ｅの内面に内接する内接円の直径Ｓは、２次圧入穴１ｃ２の内周面（内面）の直径ｄ３以上である（ｄ３≦Ｓ）。
したがって、３つの突起部１ｅがステム２ｂを保持する保持力は、２次圧入穴１ｃ２がステム２ｂを保持する保持力よりも弱い。つまり、３つの突起部１ｅは、２次圧入穴１ｃ２によりステム２ｂを保持する保持力よりも弱い力でステム２ｂ表面と接触してステム２ｂを保持する。これにより、本実施例においてもホルダ１とレーザ２を精度良く組み立てることができ、ホルダ１とレーザ２の組み立て後の状態も安定するという効果を得ることができる。
【００４７】
本実施例の構成は、実施例１と比較すると１次圧入穴１ｃ１を３つの突起部１ｅに代えただけであるので、レーザ２とホルダ１との組立方法については、実施例１と基本的に同様である。よって、組立方法の説明は省略する。
【００４８】
また、本実施例の光源ユニットＥは３つの突起部１ｅによってステム２ｂ表面を保持するように構成してあるため、レーザ２をホルダ１に組み立てる前のレーザ２の回転調整と、レーザ２をホルダ１に組み立てた後のレーザ２の抜き取りを簡単に行なうことができる。
【００４９】
図６において（ａ）はレーザ２を回転調整する様子を表す説明図、（ｂ）はレーザ２を抜き取る様子を表す説明図である。
【００５０】
レーザ２を回転調整する場合、３つの突起部１ｅ間でステム２ｂ表面をクランプ１０ａ，１０ｂによってレーザ２の圧入方向手前側から把持することができる。そのため、その把持状態を維持したままクランプ１０ａ，１０ｂによりレーザ２の回転調整を行なうことができる。レーザ２を抜き取る場合も３つの突起部１ｅ間でステム２ｂ表面を引き抜き工具１２ａ，１２ｂによってレーザ２の圧入方向手前側から把持することができる。そのためその把持状態を維持したまま引き抜き工具１２ａ，１２ｂによりレーザ２の圧入方向手前側からレーザ２を抜き取ることができる。
【００５１】
本実施例では、１つの突起部１ｅにつき一箇所でステム２ｂ表面と接触させるように構成しているが、１つの突起部１ｅにおいて二箇所以上の箇所でステム２ｂ表面と接触させるように構成してもよい。図７は１つの突起部１ｅにおいて二箇所以上の箇所でステム２ｂ表面と接触させる場合の構成を表す説明図である。尚、説明の明瞭化のため、図７は半導体レーザが圧入されていない状態を表している。
【図面の簡単な説明】
【００５２】
【図１】実施例１の光源ユニットの一例の説明図である。
【図２】実施例１の光源ユニットのレーザとホルダの組み立て方法の一例を表す説明図である。
【図３】実施例２の光源ユニットの一例の説明図である。
【図４】実施例２の光源ユニットの他の説明図である
【図５】実施例３の光源ユニットの一例の説明図である。
【図６】実施例３の光源ユニットを示す図であって、（ａ）はレーザを回転調整する様子を表す説明図、（ｂ）はレーザを抜き取る様子を表す説明図である。
【図７】実施例３の光源ユニットの他の例の説明図である。
【図８】光源ユニットを搭載した光学走査装置の説明図である。
【図９】従来の光源ユニットの説明図である。
【符号の説明】
【００５３】
１・・・・レーザホルダ、１ｃ１・・・・１次圧入穴、１ｃ２・・・・２次圧入穴、２・・・・半導体レーザ、２ｂ・・・・ステム、２ｃ・・・・キャップ、１ｅ・・・・突起部
【図３】
2008070695.tif 000003
【図５】
2008070695.tif 000004
【図１】
2008070695.tif 000005
【図２】
2008070695.tif 000006
【図４】
2008070695.tif 000007
【図６】
2008070695.tif 000008
【図７】
2008070695.tif 000009
【図８】
2008070695.tif 000010
【図９】
2008070695.tif 000011